(57)【特許請求の範囲】
【請求項１】
法面上に敷設される防水シートであって、該防水シートの所定箇所に排水部を付設し、前記排水部によって法面側の水を前記防水シートの裏側から表側に流水可能に構成した逆止弁付き防水シートにおいて、
前記防水シートは、ステンレス鋼板と、該ステンレス鋼板上面に貼設された所定厚みの補強マットとから成り、補強マットの存在しないステンレス鋼板の露呈した所定面積の凹部が形成され、露呈されるステンレス鋼板に貫通口が形成され該貫通口を有するステンレス鋼板上面に逆止機能を有する弁体を内装したハウジングが着座して取付けられ、前記ハウジングの反着座側には前記貫通口から前記逆止弁を通水した水が排出される排水口が形成されることを特徴とする逆止弁付き防水シート。
【請求項２】
前記ハウジングの着座側外周に複数のネジ穴が螺設されると共に、前記ステンレス鋼板の貫通口周縁上面に、内周にネジが螺設されたリング体を固定して該リング体に前記ハウジングを螺着して成り、前記ハウジングには内部空間を上下に仕切る隔壁に通水口が形成されて、少なくともこの部分が弁座として構成され、該弁座には前記通水口を閉塞する板状の可撓性弁体が取着され、前記通水口から通水される前記法面側の水圧によって前記可撓性弁体が開放されるよう構成されている請求項１に記載の逆止弁付き防水シート。
【請求項３】
前記ハウジングが、凹状空間を形成するようにカップ状に形成され、且つ前記弁体が、可撓性弁体で構成され、該可撓性弁体がハウジングの凹状空間に収容されて前記露呈されたステンレス鋼板の上面を座面として取着され、前記座面には前記可撓性弁体の中央が取着されると共に、取着部周囲の座面には前記貫通口として、前記可撓性弁体によって閉塞される複数の通水口が形成されている請求項１に記載の逆止弁付き防水シート。
【請求項４】
前記ハウジングが、凹状空間を形成するようにカップ状に形成され、且つ前記弁体が、可撓性弁体で構成され、該可撓性弁体がハウジングの凹状空間に収容されて前記露呈されたステンレス鋼板の上面を座面として取着されていると共に、前記座面には前記可撓性弁体の外周縁近傍底面が取着されると共に、該取着部より中央部の座面には前記貫通口として、前記可撓性弁体によって閉塞される通水口が形成されている請求項１に記載の逆止弁付き防水シート。
【発明の詳細な説明】
【０００１】
本発明は、宅地造成や護岸工事等の際に用いられる逆止弁付き防水シートの改良に関する。
【０００２】
【従来の技術】
従来より、この種の逆止弁付き防水シートは、特公平６−４３６８９号公報により提案されている。この防水シートは、シート本体のみで構成されたものと、シート本体の裏面に補強マットが一体的に貼着されているものとがあり、このシート本体には逆止弁を取り付けるための透孔が所定間隔で形成されている。
【０００３】
一方、前記逆止弁は円筒状であって、外周の片側端部にフランジ部を有すると共に小径部分にはネジが刻設され、内周面の中央にはリブが周設されている。
【０００４】
該リブには多数の小透孔を穿設した仕切板が周縁部を係止した状態で固着され、この仕切板には可撓性弁体であるゴム板がその中心を小ネジによって密着された状態で取付けられている。
【０００５】
前記フランジの端面には十字方向に通水孔が形成され、そのフランジ端面に蓋体を固定して逆止弁が構成される。
【０００６】
このように構成された逆止弁は、防水シートに形成された透孔へ外側から挿入し、反対側へ突出した本体の小径ネジ部にネジを螺設したリング体の内径部を螺合して、防水シートの前記透孔周囲両面からパッキンを介して前記防水シートに挟着固定されている。
【０００７】
【発明が解決しようとする課題】
このように構成された、従来の逆止弁は、防水シートに固定するに際し、防水シートに形成された透孔に小径部を挿通して該小径部にリング体を螺合して不織布などから構成される防水シートの両面をフランジ面とリング体とで挟持して固定するようになっているため、このような弾力性を有する不織布等の場合では逆止弁を保持するには腰が弱いため十分な強度が得られないことから、相互の挟持面積を広くするためにフランジないしリング体の外径をある程度大きく形成する必要があった。
【０００８】
このためリング体を螺合する際に、リング体と防水シートとの接触面が摺り合わされるため、接触による摩擦抵抗が大きく締め付け作業が困難となる問題を有している。
【０００９】
更に、折角締め付けても、防水シートは水分を吸収しまたは乾燥した際に膨張、収縮するため、締め付けたリング体が緩み保持力が弱くなる問題点を有していた。
【００１０】
本発明は、このような問題点に着目してなされたもので、逆止弁を防水シートに対し長期的に強固に且つ確実に取り付けることができ、防水シートの敷設作業を容易に行うことができる逆止弁付き防水シートを提供することを目的とする。
【００１１】
【課題を解決するための手段】
上記目的を達成するために、本発明の逆止弁付き防水シートは、法面上に敷設される防水シートであって、該防水シートの所定箇所に排水部を付設し、前記排水部によって法面側の水を前記防水シートの裏側から表側に流水可能に構成した逆止弁付き防水シートにおいて、
前記防水シートは、ステンレス鋼板と、該ステンレス鋼板上面に貼設された所定厚みの補強マットとから成り、補強マットの存在しないステンレス鋼板の露呈した所定面積の凹部が形成され、露呈されるステンレス鋼板に貫通口が形成され該貫通口を有するステンレス鋼板上面に逆止機能を有する弁体を内装したハウジングが着座して取付けられ、前記ハウジングの反着座側には前記貫通口から前記逆止弁を通水した水が排出される排水口が形成されることを特徴としている。
この特徴によれば、露呈されるステンレス鋼板上面が座面として形成されるので、ハウジングの着座面が強度を有すると共に耐食性を有するため長期的に弁機能を維持することができる。
【００１２】
本発明の逆止弁付き防水シートは、前記ハウジングの着座側外周に複数のネジ穴が螺設されると共に、前記ステンレス鋼板の貫通口周縁上面に、内周にネジが螺設されたリング体を固定して該リング体に前記ハウジングを螺着して成り、前記ハウジングには内部空間を上下に仕切る隔壁に通水口が形成されて、少なくともこの部分が弁座として構成され、該弁座には前記通水口を閉塞する板状の可撓性弁体が取着され、前記通水口から通水される前記法面側の水圧によって前記可撓性弁体が開放されるよう構成されてれば好適である。
このようにすることにより、ステンレス鋼板の貫通口周縁上面に予めリング体を固定することにより、ハウジングの防水シートへの取付作業が容易となるばかりか、リングの着座面周囲が複数のネジでステンレス鋼板に固定されるため、これに取り付けられるハウジングの緩み、離脱を最小限にすることができる。
【００１３】
本発明の逆止弁付き防水シートは、前記ハウジングが、凹状空間を形成するようにカップ状に形成され、且つ前記弁体が、可撓性弁体で構成され、該可撓性弁体がハウジングの凹状空間に収容されて前記露呈されたステンレス鋼板の上面を座面として取着され、前記座面には前記可撓性弁体の中央が取着されると共に、取着部周囲の座面には前記貫通口として、前記可撓性弁体によって閉塞される複数の通水口が形成されていば好適である。
このようにすることに、前記ハウジングがステンレス鋼板を可撓性弁体の弁座としてそのまま利用することができるため、構造を極めて単純化することができるばかりか、厚みを薄くでき、防水シートの折り曲げが容易になり、運搬作業や取扱いを単純化することができる。
【００１４】
本発明の逆止弁付き防水シートは、前記ハウジングが、凹状空間を形成するようにカップ状に形成され、且つ前記弁体が、可撓性弁体で構成され、該可撓性弁体がハウジングの凹状空間に収容されて前記露呈されたステンレス鋼板の上面を座面として取着されていると共に、前記座面には前記可撓性弁体の外周縁近傍底面が取着されると共に、該取着部より中央部の座面には前記貫通口として、前記可撓性弁体によって閉塞される通水口が形成されている好適である。
このようにすることにより、前記ハウジングがステンレス鋼板を可撓性弁体の弁座としてそのまま利用することができるため、構造を極めて単純化することができるばかりか、厚みを薄くでき、防水シートの折り曲げが容易になり、運搬作業や取扱いを単純化することができる。
【００１５】
【発明の実施の形態】
以下に、添付図面を参照して本発明の実施形態について説明する。先ず、図１は本発明の第１実施形態としての逆止弁付き防水シートを堤防に敷設した例を示す断面図、図２は第１実施形態としての逆止弁の分解組立斜視図、図３は第１実施形態としての逆止弁の平面図であり、図４は図３のＡ−Ｂ断面図である。
【００１６】
図１に示されるように、Ｓは逆止弁付き防水シートであり、この逆止弁付き防水シートＳは、河川１６に沿って河川１６の両脇に土を盛り上げて形成された堤防の河川側内側法面に敷設されて、河川１６の水が法面内に侵入するのを防止して法面内の水を河川１６側に積極的に排出するようにするものである。
【００１７】
先に、防水シートＳに付設される第１実施形態としての逆止弁Ｃにつき説明する。図３及び図４に示されるように、防水シートＳは、ステンレス鋼板２０と、該ステンレス鋼板２０の上面に貼着される所定厚みの補強マットとしての不織布２１と、ステンレス鋼板２０の裏面に貼着される接地側不織布２３の３層から構成されている。
【００１８】
そして、防水シートＳには予め逆止機能を有する弁体が内装された逆止弁Ｃが配置される箇所が設定されており、設定された箇所に逆止弁Ｃのハウジング１外形に合わせて不織布２１を切離して該不織布２１が存在しないステンレス鋼板２０が露呈した凹部が形成され、露呈されたステンレス鋼板２０の中央には貫通口２０ａが穿設されている。
【００１９】
更に、ステンレス鋼板２０裏面に貼着された接地側不織布２３もステンレス鋼板２０に穿設された貫通口２０ａの周囲下面が少なくとも前記リング体２の外径に相当する円形領域が切離される。
【００２０】
さらに、ステンレス鋼板２０の貫通口２０ａ周縁上面には、内周にネジを螺設したリング体２がステンレス鋼板２０の裏面側からビスＢ１を介して固定されている。
【００２１】
次に逆止弁Ｃは、内部空間の上下が例えばステンレス製の材質を弁座として構成される隔壁３によって仕切られた扁平な筒状のハウジング１を有し、該ハウジング１は、隔壁３の上方が上部空間５として形成されると共にその下方が下部開口６として形成され、隔壁３には複数の通水口４が形成されている。
【００２２】
また、ハウジング１の上端部周縁には複数の溝からなる排水口７が放射状に配置されており、外周には段付き部が形成され小径部外周には前記リング体２が螺合可能なネジ８が螺設されている。
【００２３】
前記隔壁３の上面には円板状の可撓性弁体であるゴム状の弁シート９が中央でビスＢ２によって取着され、隔壁３に形成される複数の通水口４の全てを覆うように取着されている。
【００２４】
ハウジング１の上面には、放射状に配置された複数の排水口７によって形成される複数の島１ａ、１ｂに略同一外径のリング体１０を介して円板状のカバー１１がビスＢ３によって固定されている。
【００２５】
次に、このように構成された逆止弁Ｃの組立手順を説明する。図２は逆止弁Ｃの組立手順を示すもので、先ず、防水シートＳ上面の所定箇所毎の不織布がリング体１０の外径に対応して切り取られて円形状に露呈されているステンレス鋼板２０の中央に貫通口２０ａが形成され、該貫通口２０ａ周囲の上面を座面としてリング体２がビスＢ１を介して固定される。
【００２６】
一方ハウジング１は、該ハウジング１内の隔壁３を弁座として弁シート９が中央でビスＢ２により固定されると、ハウジング１上面の島１ａ、１ｂにリング体１０を介して円板状のカバー１１が２本のビスＢ３によって固定されて上部空間５が閉塞され、リング体２を除いた逆止弁Ｃの上部側が上部ユニットＵとして構成される。
【００２７】
そこで、前記上部ユニットＵを防水シートＳの露呈されたステンレス鋼板２０に予め固定されているリング体２内周のネジ部に螺着して逆止弁付き防水シートが組み立てられる。
【００２８】
次に、このようにして組み立てられた逆止弁付き防水シートの敷設法につき説明する。図１に示されるように、河川側内側の法面上に防水シートＳが接地側不織布２３を接触させて敷設されることにより法面上面が覆われる。
【００２９】
法面上に防水シートＳが敷設されると、この防水シートＳ上に固定されている各リング体２に上部ユニットＵがそれぞれ螺着され、逆止弁付き防水シートＳが構成される。
【００３０】
次に、逆止弁付き防水シートＳの上面に砕石１７を敷き詰め、その上に護岸ブロック１８が施設されると、護岸ブロック１８の目地は必要に応じてモルタル等が埋め込まれる。
【００３１】
このようにして逆止弁付き防水シートＳ法面上に敷設されると、河川１６の水位が逆止弁Ｃの位置より上の場合は、河川の水圧によって逆止弁Ｃは閉塞状態が維持されるが、河川の水位が逆止弁Ｃの位置より下がった場合には、堤防内の水がその水圧により逆止弁Ｃが開放されて河川側に排出される。
【００３２】
このように、露呈されるステンレス鋼板２０の上面が座面として形成さるので、ハウジング１の着座面が強度を有すると共に耐食性を有するため長期的に弁機能を維持することができる。
【００３３】
また、ステンレス鋼板２０の貫通口２０ａ周縁上面に予めリング体２を固定することにより、ハウジング１の防水シートＳへの取付作業が容易となるばかりか、リングの着座面周囲が複数のネジＢ１でステンレス鋼板２０に固定されるため、これに取り付けられるハウジング１の緩み、離脱を最小限にすることができる。
【００３４】
次に、本発明の逆止弁付き防水シートの第２実施形態につき説明する。図５の（ａ）は第２実施形態としての逆止弁の断面図であり、（ｂ）は逆止弁の平面図である。なお、前記実施形態における構成部分と同一構成部分については同一符号を付し重複する説明を省略する。
【００３５】
本実施形態では、前記同様に構成される防水シートＳにおける所定箇所の不織布２１をハウジング１外形に合わせて切離して、不織布２１の存在しないステンレス鋼板２０の露呈した所定面積の円形凹部を形成し、露呈されるステンレス鋼板２０の周囲に２個の貫通孔２０ｃが穿設されると共に中央には貫通口の利用形態として比較的小径の通水口２０ｂが穿設される。
【００３６】
次に、本実施形態における逆止弁Ｃ１は、露呈されたステンレス鋼板２０を座面として一対の貫通孔２０ｃをステンレス鋼板２０の裏面より挿通した２本のビスＢ４により固定される扁平なカップ状に形成されたハウジング２４と、該ハウジング２４内にステンレス鋼板２０の上面を弁座として外周が挿嵌された可撓性弁体である円板状のゴム製の弁シート２５とで構成されている。
【００３７】
更に詳しくは、前記ハウジング２４が、少なくとも不織布２１の厚みに相当する扁平なカップ状に形成されて、片面外周に突設された縁部の内側に形成される凹状空間２４ｂの壁面を形成する底面には複数の排水口２４ａが放射状に配置されている。
【００３８】
ハウジング２４の凹状空間２４ｂに装着される円板状の弁シート２５は、周縁部のみが少なくともハウジング２４の凹状空間２４ｂの深さと同じ厚さの縁部２５ｂを有し、中央部の厚さは水圧によって弾性変形可能な比較的薄肉に形成され、露呈されたステンレス鋼板２０の中央に形成される通水口２０ｂ外周に複数の通水孔２５ａが同一円周上に配置されるように形成されている。
【００３９】
このように構成された逆止弁Ｃ１は、弁シート２５をハウジング２４の凹状空間２４ｂ内に挿嵌した状態で露呈されたステンレス鋼板２０の上面にハウジング２４をビスＢ４により固定する。この場合、弁シート２５の着座面側の周囲は例えば接着剤により固定される。
【００４０】
このようにすることにより、ステンレス鋼板２０を弁シート２５の弁座としてそのまま利用することができるため、構造を極めて単純化することができるばかりか、厚みを薄くでき、防水シートＳの折り曲げが容易になり、運搬作業や取扱いを単純化することができる。
【００４１】
次に、本発明の逆止弁付き防水シートの第３実施形態につき説明する。図６の（ａ）は第３実施形態としての逆止弁の断面図であり、（ｂ）は逆止弁の平面図である。なお、前記実施形態における構成部分と同一構成部分については同一符号を付し重複する説明を省略する。
【００４２】
本実施形態では、前記同様に構成される防水シートＳにおける所定箇所の不織布２１をハウジング１外形に合わせて切離して、不織布２１の存在しないステンレス鋼板２０の露呈した所定面積の円形凹部を形成し、露呈されるステンレス鋼板２０周囲の同一円周上に貫通口の利用形態として複数の通水口２０ｄが穿設され、その外側には２個の貫通孔２０ｃが穿設されている。
【００４３】
次に、本実施形態における逆止弁Ｃ２は、露呈されたステンレス鋼板２０を座面として一対の貫通孔２０ｃをステンレス鋼板２０の裏面より挿通した２本のビスＢ４により固定される扁平なカップ状に形成されたハウジング２６と、該ハウジング２６内にステンレス鋼板２０の上面を弁座として外周が挿嵌された弁シート２７とで構成されている。
【００４４】
ハウジング２６は、前記第２実施形態と同一構成で構成されており、ハウジング２６の凹状空間２６ｂに装着される円板状の弁シート２７は、中央部のみが少なくともハウジング２６の凹状空間２６ｂの深さと同じ厚さの突部２７ａを有し、その周辺部の厚さは通水口２０ｄ側からの水圧によって弾性変形可能な比較的薄肉に形成され、その外径は、露呈されたステンレス鋼板２０の周囲に形成された通水口２０ｄが覆われる程度の直径であって、ハウジング２６の凹状空間２６ｂ内径より若干小径に形成されている。
【００４５】
このように構成された逆止弁Ｃ２は、ハウジング２６の壁面の内側中央に弁シート２７の突部２７ａをビスＢ５により固定してハウジング２６の凹状空間２６ｂ内に挿嵌する。この状態で、露呈されたステンレス鋼板２０の上面に弁シート２７が装着されたハウジング２６をビスＢ４によりステンレス鋼板２０の裏面から固定する。
【００４６】
なお、本実施形態の逆止弁付き防水シートは、前記第２実施形態における逆止弁の開閉形態は異なるが同一効果を有している。
【００４７】
以上、本発明の実施形態を図面によって説明してきたが、具体的な構成はこれら実施形態に限られるものではなく、本発明の要旨を逸脱しない範囲における変更や追加があっても本発明に含まれる。
【００４８】
【発明の効果】
本発明は次の効果を奏する。
【００４９】
（ａ）請求項１の発明によれば、露呈されるステンレス鋼板上面が座面として形成されるので、ハウジングの着座面が強度を有すると共に耐食性を有するため長期的に弁機能を維持することができる。
【００５０】
（ｂ）請求項２の発明によれば、ステンレス鋼板の貫通口周縁上面に予めリング体を固定することにより、ハウジングの防水シートへの取付作業が容易となるばかりか、リングの着座面周囲が複数のネジでステンレス鋼板に固定されるため、これに取り付けられるハウジングの緩み、離脱を最小限にすることができる。
【００５１】
（ｃ）請求項３の発明によれば、前記ハウジングがステンレス鋼板を可撓性弁体の弁座としてそのまま利用することができるため、構造を極めて単純化することができるばかりか、厚みを薄くでき、防水シートの折り曲げが容易になり、運搬作業や取扱いを単純化することができる。
【００５２】
（ｄ）請求項４の発明によれば、前記ハウジングがステンレス鋼板を可撓性弁体の弁座としてそのまま利用することができるため、構造を極めて単純化することができるばかりか、厚みを薄くでき、防水シートの折り曲げが容易になり、運搬作業や取扱いを単純化することができる。
【図面の簡単な説明】
【図１】本発明の第１実施形態としての逆止弁付き防水シートを堤防に敷設した例を示す断面図である。
【図２】第１実施形態としての逆止弁の分解組立斜視図である。
【図３】第１実施形態としての逆止弁の平面図である。
【図４】図３のＡ−Ｂ断面図である。
【図５】（ａ）は第２実施形態としての逆止弁の断面図であり、（ｂ）は逆止弁の平面図である。
【図６】（ａ）は第３実施形態としての逆止弁の断面図であり、（ｂ）は逆止弁の平面図である。
【符号の説明】
１          ハウジング
１ａ、１ｂ  島
２          リング体
３          隔壁
４          通水口
５          上部空間
６          下部開口
７          排水口
８          ネジ
９          弁シート（可撓性弁体）
１０        リング体
１１        カバー
１６        河川
１７        砕石
１８        護岸ブロック
２０        ステンレス鋼板
２０ａ      貫通口
２０ｂ      通水口（貫通口）
２０ｃ      貫通孔
２０ｄ      通水口（貫通口）
２１        不織布（補強マット）
２３        接地側不織布
２４        ハウジング
２４ａ      排水口
２４ｂ      凹状空間
２５ａ      通水孔
２５ｂ      縁部
２５        弁シート
２６        ハウジング
２６ｂ      凹状空間
２７        弁シート
２７ａ      突部
Ｂ１、Ｂ２  ビス
Ｂ３、Ｂ４  ビス
Ｂ５        ビス
Ｃ          逆止弁
Ｃ１、Ｃ２  逆止弁
Ｓ          防水シート
Ｕ          上部ユニット
【図１】
0004070056.tif 000002
【図２】
0004070056.tif 000003
【図３】
0004070056.tif 000004
【図４】
0004070056.tif 000005
【図５】
0004070056.tif 000006
【図６】
0004070056.tif 000007